(57)【要約】【課題】放電空間を形成する一対の基板が互いに行方向に沿ってズレた状態で重ね合わされても、必要な放電電圧が変動せずに安定した表示が行われることを目的とする。【解決手段】対向する一対の基板の間に放電空間が形成され、一方の基板の内面に画面の行を確定する複数の行電極を有し、他方の基板の内面に前記放電空間を列ごとに仕切る複数の隔壁と、当該隔壁間の溝内で隔壁側面と溝底面を覆うように形成された蛍光体層とを備えたプラズマディスプレイパネルであって、前記行を確定する行電極は、行方向に画面の全長にわたって延びる帯状の基部と、当該基部から隣接する他の行電極に向かって張り出した複数の突出部とからなり、前記複数の突出部は、前記複数の隔壁に重なるように配置され、かつ当該隔壁幅よりも大きい幅を有することを特徴とするプラズマディスプレイパネル。【選択図】図５
2009064580.tif 000002
【特許請求の範囲】
【請求項１】
対向する一対の基板の間に放電空間が形成され、一方の基板の内面に画面の行を確定する複数の行電極を有し、他方の基板の内面に前記放電空間を列ごとに仕切る複数の隔壁と、当該隔壁間の溝内で隔壁側面と溝底面を覆うように形成された蛍光体層とを備えたプラズマディスプレイパネルであって、
前記行を確定する行電極は、行方向に画面の全長にわたって延びる帯状の基部と、当該基部から隣接する他の行電極に向かって張り出した複数の突出部とからなり、
前記複数の突出部は、前記複数の隔壁に重なるように配置され、かつ当該隔壁幅よりも大きい幅を有すること
を特徴とするプラズマディスプレイパネル。
【請求項２】
前記行電極の突起部は、基端から先端まで一定の幅を有する請求項１記載のプラズマディスプレイパネル。
【請求項３】
前記行電極の突起部は、先端が基端より大きい幅を有する請求項１記載のプラズマディスプレイパネル。
【請求項４】
前記隔壁を挟んで隣接する前記行電極の突起部は先端が互いに接続されている請求項１記載のプラズマディスプレイパネル。
【請求項５】
前記行電極は、金属電極と透明電極からなり、透明電極が前記突起部を形成する請求項１記載のプラズマディスプレイパネル。
【発明の詳細な説明】
【技術分野】
【０００１】
この発明は、プラズマディスプレイパネル（以下、ＰＤＰという）に関し、特にその行電極構造に関する。
【背景技術】
【０００２】
図１２は従来の３電極面放電型ＰＤＰの要部上面図を示し、図１３は図１２のＺ−Ｚ矢視断面図を示す。
これらの図に示すように従来の３電極面放電型ＰＤＰは、互いに対向する前面基板アッセンブリ５０ａおよび背面基板アッセンブリ５０ｂを備える。そして、前面基板アッセンブリ５０ａの内面に画面の行を画定する複数の行電極（維持電極ともいう）Ｘ，Ｙと、行電極Ｘ，Ｙに直交するように背面基板アッセンブリ５０の内面に配設された複数の列電極（アドレス電極ともいう）Ａと、隣接する列電極Ａ間にそれぞれ配設された複数の隔壁（リブ）Ｗと、隣接する隔壁Ｗ間の溝内で隔壁の側面および列電極Ａの上方を被うように形成されたＲ，Ｇ，Ｂの蛍光体層２８とを備える。
【０００３】
そして、図１２のように、行を画定する２つの維持電極Ｘ，Ｙが、帯状の基部４２Ｘ，４２Ｙから隣接する他の維持電極に向かって張り出したＴ字型の突起部４１Ｘ，４１Ｙを、列ごとに隣接する隔壁Ｗの中央に有し、両者間で放電（面放電）Ｄ（図１３）を繰り返し発生して表示用の放電を維持するようにしたものが知られている（例えば、特許文献１参照）。
【特許文献１】特開平９−２３７５８０号公報
【発明の開示】
【発明が解決しようとする課題】
【０００４】
維持電極Ｘ，Ｙがこのような放電用の突起部４１Ｘ，４１Ｙを備えると、放電電流が抑制されて、発光効率が向上するという利点がある。しかしながら、ＰＤＰの製造工程において、前面基板アッセンブリ５０ａが背面基板アッセンブリ５０に対して画面の行方向に沿ってズレを生じた場合、図１４に示すように維持電極Ｘ，Ｙの突起部４１Ｘ，４１Ｙは列方向に伸張する隔壁Ｗに接近する。図１５は図１４のＺ−Ｚ矢視断面図である。図１５に示すように、維持電極Ｘ，Ｙが隔壁Ｗに接近することによって等価的に当該維持電極間の放電空間が狭くなり、その結果維持電極Ｘ，Ｙが放電Ｄを維持するための維持電圧が上昇し、例えばそのズレが５０μｍの場合、維持電圧を２０Ｖ以上も上昇させる必要があることが実験的に確認されている。
従って、このような場合には、ＰＤＰとしては維持電圧が所定の電圧範囲を逸脱し、安定した表示が得られないという問題がある。
この発明は、このような事情を鑑み、前面基板アッセンブリが背面基板アッセンブリに対して画面の行方向に位置ズレした場合でも安定した維持放電を発生することのできるプラズマディスプレイパネルを提供するものである。
【課題を解決するための手段】
【０００５】
この発明は、対向する一対の基板の間に放電空間が形成され、一方の基板の内面に画面の行を確定する複数の行電極を有し、他方の基板の内面に前記放電空間を列ごとに仕切る複数の隔壁と、当該隔壁間の溝内で隔壁側面と溝底面を覆うように形成された蛍光体層とを備えたプラズマディスプレイパネルであって、前記行を確定する行電極は、行方向に画面の全長にわたって延びる帯状の基部と、当該基部から隣接する他の行電極に向かって張り出した複数の突出部とからなり、前記複数の突出部は、前記複数の隔壁に重なるように配置され、かつ当該隔壁幅よりも大きい幅を有することを特徴とするプラズマディスプレイパネルを提供するものである。
【発明の効果】
【０００６】
この発明によれば、列方向に伸張する複数の隔壁と重なるように配置された複数の突起部間で放電が行われるので、前面基板が背面基板に対して行方向に沿ってズレを生じても、所定の大きさの放電を発生することができ、従って維持電圧は上昇しないという効果がある。
【発明を実施するための最良の形態】
【０００７】
この発明のＰＤＰは、対向する一対の基板の間に放電空間が形成され、一方の基板の内面に画面の行を確定する複数の行電極を有し、他方の基板の内面に前記放電空間を列ごとに仕切る複数の隔壁と、当該隔壁間の溝内で隔壁側面と溝底面を覆うように形成された蛍光体層とを備えたプラズマディスプレイパネルであって、前記行を確定する行電極は、行方向に画面の全長にわたって延びる帯状の基部と、当該基部から隣接する他の行電極に向かって張り出した複数の突出部とからなり、前記複数の突出部は、前記複数の隔壁に重なるように配置され、かつ当該隔壁幅よりも大きい幅を有することを特徴とする。
【０００８】
前記行電極の突起部は、基端から先端まで一定の幅を有してもよい。
前記行電極の突起部は、先端が基端より大きい幅を有してもよい。
前記隔壁を挟んで隣接する前記行電極の突起部は先端が互いに接続されてもよい。
前記行電極は、金属電極と透明電極からなり、透明電極が前記突起部を形成してもよい。
【０００９】
以下、図面に示す実施形態に基づいてこの発明を詳述する。これによってこの発明が限定されるものではない。
図１は、この発明によるＰＤＰの一実施形態の構成を示す構成説明図である。
ＰＤＰ１００は、複数の維持電極Ｘ１〜Ｘ５と、複数の維持電極Ｙ１〜Ｙ５を交互に備える。そして、互いに隣接する維持電極の対（Ｘ１，Ｙ１）、（Ｙ１，Ｘ２）、（Ｘ２，Ｙ２）、（Ｙ２，Ｘ３）、（Ｘ３，Ｙ３）、（Ｙ３，Ｘ４）、（Ｘ４，Ｙ４）、（Ｙ４，Ｘ５）、（Ｘ５，Ｙ５）が、それぞれ表示行Ｌ１〜Ｌ９を形成する。なお、表示行Ｌ１〜Ｌ９に直交する方向に複数のストライプ状の隔壁（リブ）Ｗと、複数のアドレス電極Ａ１〜Ａ６とが設けられている。
【００１０】
図２は、ＰＤＰ１００の要部拡大斜視図である。
ＰＤＰ１００は、図２に示すような一対の背面基板アッセンブリ５０と前面基板アッセンブリ５０ａから構成される。なお、図２は１画素分（ＲＧＢの３セル）を示している。
【００１１】
前面基板アッセンブリ５０ａにおいては、ガラス基板１１の内面に、基板面に沿った面放電を生じさせるための横方向（画面の行方向）に延びる複数の維持電極Ｘ１，Ｙ１が、表示行Ｌ１を定める表示電極として配列される。維持電極Ｘ１，Ｙ１は、それぞれがＩＴＯ薄膜からなる透明電極４１Ｘ，４１Ｙと、金属薄膜からなる幅の狭い帯状のバス電極４２Ｘ，４２Ｙから構成される。
なお、透明電極４１Ｘ，４１Ｙは、本発明の特徴に従えば突起部を持つ形状であるが、図２においては説明の便宜上ストライプパターンで示している。
【００１２】
バス電極４２Ｘ，４２Ｙは、適正な導電性を確保するための補助電極である。維持電極Ｘ１，Ｙ１を被覆するように誘電体層１７が設けられる。誘電体層１７の表面には保護膜１８が被覆される。誘電体層１７及び保護膜１８はともに透光性を有している。
【００１３】
次に、背面基板アッセンブリ５０においては、ガラス基板２１の内面に、維持電極Ｘ１，Ｙ１と直交する方向にアドレス電極Ａ１〜Ａ３が配列され、アドレス電極Ａ１〜Ａ３を被覆するように誘電体層２５が設けられ、誘電体層２５上のアドレス電極Ａ１〜Ａ３の間には、列方向に伸張するストライプ状の隔壁Ｗが設けられる。
なお、隔壁は行方向および列方向の隔壁部を交差させた構造、いわゆる行方向および列方向のそれぞれで放電空間を区画する格子状の隔壁であってもかまわない。
【００１４】
背面基板アッセンブリ５０では、これらの隔壁Ｗによって放電空間としての表示セル３０がサブピクセル（単位発光領域）ＥＵ毎に区画され、且つ表示セル３０の間隙寸法が規定される。
【００１５】
そして、隣接する隔壁間の溝内には誘電体層２５の上部及び隔壁Ｗの側面を被覆するように、カラー表示のためのＲ，Ｇ，Ｂの３色の蛍光体層２８が設けられる。
隔壁Ｗは低融点ガラスを主体とする材料からなり、添加剤の種類によって透明又は不透明に形成される。なお、隔壁Ｗの形成方法としては、ベタ膜状の低融点ガラス層の上に切削マスクを設け、サンドブラスト加工でパターニングする工程が用いられる。
【００１６】
マトリクス表示における１行には表示行Ｌ１が対応し、１列には１本のアドレス電極Ａ１が対応する。そして、３列が１ピクセル（画素）ＥＧに対応する。つまり、１ピクセルＥＧはライン方向に並ぶＲ，Ｇ，Ｂの３つのサブピクセルＥＵから構成される。
アドレス電極と維持電極との間の対向放電（アドレス放電）によって、表示すべきセルを選択するための誘電体層１７における壁電荷の形成が行われる。隣接する維持電極間にパルスを印加すると、前記アドレス放電による壁電荷の形成されたサブピクセルＥＵで表示用の面放電（主放電）が生じる。
【００１７】
蛍光体層２８は、面放電で生じた紫外線によって局部的に励起されて所定色の可視光を放つ。この可視光の内、ガラス基板１１を透過する光が表示光となる。隔壁Ｗの配置パターンがいわゆるストライプパターンであることから、表示セル３０の内の各列に対応した部分は、全てのラインに跨がって列方向に連続している。各列内のサブピクセルＥＵの発光色は同一である。
【００１８】
図３はＰＤＰ１００を駆動する駆動回路のブロック図である。図３に示すように、維持電極Ｘ１〜Ｘ５には第１駆動回路１０１から駆動電圧が印加される。維持電極Ｙ１〜Ｙ５には第２駆動回路１０２から駆動電圧が印加される。そして、アドレス電極Ａ１〜Ａ６には第３駆動回路からアドレス電圧が印加されるようになっている。
【００１９】
図４は、表示画像の１フレームの構成を示す。１フレームは奇数フィールドと偶数フィールドとに２分割され、いずれのフィールドも複数のサブフィールドＳＦ１〜ＳＦｎを備える。奇数フィールドでは図３に示すＰＤＰ１００の奇数の表示行Ｌ１，Ｌ３，Ｌ５，Ｌ７，Ｌ９において、後述のリセット、アドレス、および表示などの動作が行われるように各電極に第１，第２，第３駆動回路１０１，１０２，１０３から電圧が印加される。また、偶数フィールドではＰＤＰ１００の偶数の表示行Ｌ２，Ｌ４，Ｌ６，Ｌ８においてリセット、アドレスおよび表示などの動作が行われるように、各電極に第１，第２，第３駆動回路１０１，１０２，１０３から電圧が印加される。
【００２０】
そのために、サブフィールドＳＦ１〜ＳＦｎは、図４に示すように、それぞれのサブフィールド画面を構成する全ての表示セルの電荷を一様化させるリセット期間ＲＰと、単位発光領域を選択するために所定の表示セルにアドレス放電を発生させて壁電荷を蓄積するアドレス期間ＡＰと、蓄積された壁電荷を利用して表示セルにおける放電を維持して表示する表示（サステイン）期間ＳＰとからなる。
【００２１】
リセット期間ＲＰにおけるリセット動作では、対応する維持電極にリセットパルスを印加し、各表示セルに壁電荷を消去させる放電を発生させる。アドレス期間ＡＰにおけるアドレス動作では、スキャンパルスを対応する維持電極に順次印加すると共に、このスキャンパルスに同期させて発光させるべき表示セルに対応したアドレス電極にアドレスパルスを印加して、両電極間の交点で定まるアドレスの表示セルにアドレス放電を発生させ、壁電荷を形成する。サステイン期間ＳＰにおける表示動作では、サステインパルス（維持電圧）を対をなす維持電極に交互に印加して前記壁電荷の形成された単位発光領域の表示セルに維持放電を発生させる。
【００２２】
プラズマディスプレイの階調表示は、表示データに応じてサブフレームの表示動作期間ＳＰの長さ（放電回数）を変えることで行っている。例えば、８つのサブフレームにおける放電回数を、１：２：４：８：１６：３２：６４：１２８の比率にすることで、単位発光領域毎の階調は２５６段階となり、この単位発光領域が３つ集まることで１画素となるため、１６７７万（＝２５６＊２５６＊２５６）色のフルカラー表示が可能となる。
【００２３】
この発明の実施形態において、図１〜図３に示す維持電極Ｘ１〜Ｘ５，Ｙ１〜Ｙ５は、図５に示す形態を有する。つまり、維持電極Ｘ１〜Ｘ５は、基部を構成するバス電極４２Ｘと、突出部を構成する透明電極４１Ｘとを有し、維持電極Ｙ１〜Ｙ５も、基部を構成するバス電極４２Ｙと、突出部を構成する透明電極４１Ｙを有する。
なお、基部および突出部を一体的なパターンとして透明電極で形成することも可能で、その場合基部パターン上に金属のバス電極が重ねて設けられる。また、図示の電極配列形態は維持電極を等間隔に配列して隣接する電極間が全て表示行（放電領域）となるＡＬＩＳ形式の配列であるが、電極ペア間に非放電領域を設けた配列を適用することも可能である。
【００２４】
そして、隣接する維持電極対（Ｘ１，Ｙ１）、（Ｙ１，Ｘ２）、（Ｘ２，Ｙ２）、（Ｙ２，Ｘ３）、（Ｘ３，Ｙ３）、（Ｙ３，Ｘ４）、（Ｘ４，Ｙ４）、（Ｙ４，Ｘ５）、（Ｘ５，Ｙ５）の各々は、互いに近づく方向に突出する一対の突起部としての透明電極４１Ｘと４１Ｙを各隔壁Ｗと重なるように配置している。透明電極（突起部）４１Ｘ，４１Ｙは、図１２に示すものとほぼ相似形のＴ字形で、隔壁Ｗの幅Ｗ４より大きい最大幅Ｗ１および最小幅Ｗ６を有し、その突出部の両側は隔壁の両側縁から張り出し、その張り出し部が放電部となる。
【００２５】
具体的には、透明電極４１Ｘ，４１Ｙは最大幅Ｗ１＝２２０μｍ，突出長さＷ２＝２１０μｍ，面放電ギャップＷ３＝１００μｍ，隔壁Ｗの幅Ｗ４＝６０μｍ，バス電極４２Ｘ，４２Ｙの幅Ｗ５＝１００μｍ，隔壁のピッチＰ＝３００μｍである。
図６は図５のＺ−Ｚ矢視断面図である。
図６に示すように、前面基板アッセンブリ５０ａと背面基板アッセンブリ５０との間に形成される放電セルは、１セル当たりに２つの透明電極４１Ｘを有するので、この透明電極４１Ｘと同等の透明電極４１Ｙとの間において放電Ｄが発生されるとき、その規模は図１３に示すものと同等又はそれ以上となる。
【００２６】
また、図２に示す前面基板アッセンブリ５０ａが背面基板アッセンブリ５０に対して画面の行方向（バス電極上の透明電極の配列方向）に沿ってズレを生じた場合、図５対応図は図７のようになり、図７のＺ−Ｚ矢視断面図は図８のようになる。この図８から明らかなように一方（左側）の透明電極４１Ｘが隔壁Ｗの方へ移動して放電セル空間に対する露出度が小さくなっても、他方（右側）の透明電極４１Ｘが放電セル空間中央に大きく張り出してくるので、等価的に放電空間が狭くなることはなく、従って放電Ｄを発生させるための維持電圧の上昇が抑制される。
前述の従来構造と同様に前面基板アッセンブリ５０ａが背面基板アッセンブリ５０に対して維持電極Ｘ１，Ｙ１の透明電極配列方向に５０μｍのズレを生じた実験によっても、維持電圧を上昇させることなく、所望範囲の輝度が得られることが確認された。
【００２７】
変形例１
図９は維持電極Ｘ１〜Ｘ５，Ｙ１〜Ｙ５の変形例１を示す図５対応図である。この変形例では、突出部を構成する透明電極４１Ｘ，４１Ｙは方形状で幅Ｗ１＝２２０μｍ，突出長さＷ２＝２１０μｍ，放電ギャップＷ３＝１００μｍ，隔壁Ｗの幅Ｗ４＝６０μｍ，基部を構成するバス電極４２Ｘ，４２Ｙの幅Ｗ５＝１００μｍ，隔壁ピッチＰ＝３００μｍである。
【００２８】
変形例２
図１０は維持電極Ｘ１〜Ｘ５，Ｙ１〜Ｙ５の変形例２を示す図５対応図である。この変形例では、突出部を構成する透明電極４１Ｘ，４１Ｙは、先端の最大幅Ｗ１＝２２０μｍ、基部を構成するバス電極に最も近い基端の最小幅Ｗ６＝１６０μｍで、基端から先端に向かって末広がりの形状を有している。その他の構成および寸法は図５に示すものと同等である。
【００２９】
変形例３
図１１は維持電極Ｘ１〜Ｘ５，Ｙ１〜Ｙ５の変形例１を示す図５対応図である。この変形例では、突出部を構成する透明電極４１Ｘ，４１Ｙは、基部を構成するバス電極４２Ｘ，４２Ｙから一定の幅Ｗ６＝１６０μｍで長さＷ８＝１６０μｍだけ突出し、その先端に幅Ｗ７＝５０μｍで長さＷ９＝３００μｍの矩形状の頭部が形成され、隣接する頭部は互いに一体に接続されている。その他の構成および寸法は図５に示すものと同等である。
なお、このような変形例１〜３においても、図５に示す実施形態と同等の特性が実験的に確認された。
【図面の簡単な説明】
【００３０】
【図１】この発明によるＰＤＰの一実施形態の構成説明図である。
【図２】この発明によるＰＤＰの一実施形態の要部拡大斜視図である。
【図３】この発明によるＰＤＰの一実施形態の駆動回路のブロック図である。
【図４】この発明によるＰＤＰの一実施形態の表示画像のフレームの構成説明図である。
【図５】この発明によるＰＤＰの一実施形態の行電極の形態を示す説明図である。
【図６】図５のＺ−Ｚ矢視断面図である。
【図７】この発明によるＰＤＰの一実施形態の行電極の形態を示す説明図である。
【図８】図７のＺ−Ｚ矢視断面図である。
【図９】この発明によるＰＤＰの一実施形態の変形例１を示す図５対応図である。
【図１０】この発明によるＰＤＰの一実施形態の変形例２を示す図５対応図である。
【図１１】この発明によるＰＤＰの一実施形態の変形例３を示す図５対応図である。
【図１２】従来のＰＤＰの電極構造を示す説明図である。
【図１３】図１２のＺ−Ｚ矢視断面図である。
【図１４】従来のＰＤＰの電極構造を示す説明図である。
【図１５】図１４のＺ−Ｚ矢視断面図である。
【符号の説明】
【００３１】
１００  ＰＤＰ
Ｘ１〜Ｘ５，Ｙ１〜Ｙ５  行電極（維持電極）
Ｌ１〜Ｌ９  表示行
Ｗ  隔壁
Ａ１〜Ａ６  列電極（アドレス電極）
１０１  第１駆動回路
１０２  第２駆動回路
１０３  第３駆動回路
４１Ｘ，４１Ｙ  突出部を構成する透明電極
４２Ｘ，４２Ｙ  基部を構成するバス電極
Ｄ  放電
【図１】
2009064580.tif 000003
【図２】
2009064580.tif 000004
【図３】
2009064580.tif 000005
【図４】
2009064580.tif 000006
【図５】
2009064580.tif 000007
【図６】
2009064580.tif 000008
【図７】
2009064580.tif 000009
【図８】
2009064580.tif 000010
【図９】
2009064580.tif 000011
【図１０】
2009064580.tif 000012
【図１１】
2009064580.tif 000013
【図１２】
2009064580.tif 000014
【図１３】
2009064580.tif 000015
【図１４】
2009064580.tif 000016
【図１５】
2009064580.tif 000017